(57)【特許請求の範囲】
【請求項１】
旅客設備システムであって、
航空機の胴体内に設置された乗客用座席デッキと、
前記胴体内の、前記乗客用座席デッキの上方の位置に設置された乗客休息デッキとを含み、前記胴体は、前記航空機の進行方向に延伸する長手方向軸を有し、
前記乗客用座席デッキは、
乗客用座席領域及び１つ以上の共用領域と、
前記乗客用座席デッキ内の前記乗客用座席領域内に設置され、横列セット及び縦列セットに配置された複数の乗客用座席であって、前記縦列セットのうちの少なくともいくつかの縦列が、前記長手方向軸に合わせて位置決めされている前記複数の乗客用座席と、
前記乗客用座席デッキ内に設置され、前記複数の乗客用座席の間に延在して第１乗客用座席サブ領域及び第２乗客用座席サブ領域を画定する第１仕切り壁と、
前記１つ以上の共用領域内に設置され、それぞれが移動可能なサービスカートを解除可能に固定するように構成された１つ以上のサービスアンカーであって、該移動可能なサービスカートが、前記移動可能なサービスカート内の格納位置から前記移動可能なサービスカートの外側の展開位置へ移動するように構成された展開可能な構造体を含む前記１つ以上のサービスアンカーと、
前記１つ以上の共用領域のうちの１つ内に設置され、１つ以上の調理室キャビネットを含む展開可能な調理室システムであって、各調理室キャビネットが、格納位置と展開位置との間を前記長手方向に直交する方向に移動するように構成されている前記展開可能な調理室システムとを含み、
前記乗客休息デッキは、
前記長手方向軸に合わせて位置決めされたアクセス通路と、
複数の休息用小部屋とを含み、該複数の休息用小部屋の個々の休息用小部屋は、前記長手方向軸に対して傾斜した角度で位置決めされ、
前記各休息用小部屋は、
休息面と、
該休息面と前記胴体の上部との間に延在する中仕切セットとを含み、
前記乗客用座席デッキは、更に、
第２仕切り壁と、
一方側を第２仕切り壁に、他方側を前記胴体によって画定され、第２仕切り壁によって前記乗客用座席領域から分離されている外周通路と、を有する旅客設備システム。
【請求項２】
旅客設備システムであって、
航空機の胴体内に設置され、床と天井によって画定される乗客用座席デッキであって、前記胴体が、前記航空機の進行方向に延伸する長手方向軸を有する前記乗客用座席デッキと、
前記乗客用座席デッキ内に設置され、横列セットと縦列セットに配置された複数の乗客用座席であって、前記縦列セットのうちの少なくともいくつかの縦列が、前記長手方向軸に合わせて位置決めされている前記複数の乗客用座席と、
前記乗客用座席デッキ内に設置されて第１領域と第２領域を画定する仕切り壁であって、前記複数の乗客用座席のうちの乗客用座席セットが、少なくとも前記第１領域内に設置されている前記仕切り壁と、
前記第１領域内に設置された第１乗客用通路と、
前記第２領域内に設置された第２乗客用通路とを含み、
前記航空機の乗客は、前記第１乗客用通路又は前記第２乗客用通路の少なくとも１つを使って、前記第１領域と前記第２領域との間を移動することができ
前記第２乗客用通路は、第１の側を前記仕切り壁に、第２の側を前記胴体によって画定される旅客設備システム。
【請求項３】
前記仕切り壁は、湾曲部と直線部を含み、前記直線部は、前記長手方向軸に合わせて位置決めされ、前記湾曲部は、前記長手方向軸に対して湾曲している請求項２に記載の旅客設備システム。
【請求項４】
前記乗客用座席セットは、第１乗客用座席セットであり、前記複数の乗客用座席のうちの第２乗客用座席セットが前記第２領域内に設置される請求項２に記載の旅客設備システム。
【請求項５】
更に、前記航空機の前記胴体内の、前記乗客用座席デッキの上方の位置に設置された乗客休息デッキを含む請求項２に記載の旅客設備システム。
【請求項６】
前記乗客休息デッキは、
前記長手方向軸に沿って延在するアクセス通路と、
複数の休息用小部屋とを含み、該複数の休息用小部屋の個々の休息用小部屋は、前記長手方向軸に対して傾斜した角度で位置決めされ、
各休息用小部屋は、
休息面と、
該休息面と前記胴体の上部との間に延在する中仕切セットとを含む請求項５に記載の旅客設備システム。
【請求項７】
前記乗客休息デッキは、第１乗客休息デッキであり、前記旅客設備システムは、更に、前記航空機の前記胴体内の、前記乗客用座席デッキの下方の位置に設置された第２乗客休息デッキを含む請求項５に記載の旅客設備システム。
【請求項８】
更に、前記航空機の前記胴体内の、前記乗客用座席デッキの下方の位置に設置された乗客休息デッキを含み、該乗客休息デッキは、
前記長手方向軸に沿って延在するアクセス通路と、
複数の休息用小部屋とを含み、各休息用小部屋は、前記長手方向軸に直交する方向に延在する請求項２に記載の旅客設備システム。
【請求項９】
航空機であって、
前記航空機の胴体内に設置された乗客用座席デッキであって、前記胴体が、前記航空機の進行方向に延伸する長手方向軸を有する前記乗客用座席デッキと、
前記乗客用座席デッキ内に設置され、横列セットと縦列セットに配置された複数の乗客用座席であって、前記縦列セットのうちの少なくともいくつかの縦列が、前記長手方向軸に合わせて位置決めされている前記複数の乗客用座席と、
前記乗客用座席デッキ内に設置されて、前記複数の乗客用座席のうちの第１乗客用座席セットと前記複数の乗客用座席のうちの第２乗客用座席セットを分離する第１仕切り壁であって、該仕切り壁の少なくとも一部が、前記長手方向軸に合わせて位置決めされている第１仕切り壁とを含み、
前記航空機の乗客は、前記第１乗客用座席セットと前記第２乗客用座席セットとの間を移動することができ、
前記航空機は、更に、
前記乗客用座席デッキ内に設置された第２仕切り壁と、
一方側を第２仕切り壁に、他方側を前記胴体によって画定され、第２仕切り壁によって前記第２乗客用座席セットから分離されている乗客用アクセス廊下とを有する航空機。
【請求項１０】
前記第１仕切り壁の前記一部は、第１部分であり、第１仕切り壁は、更に、
前記長手方向軸に直交する方向に延在する第２部分と、前記第１部分及び前記第２部分を湾曲状に取り付ける第３部分とを含む請求項９に記載の航空機。
【請求項１１】
前記乗客用座席デッキは、床と天井によって画定され、第１及び／又は第２仕切り壁は、前記床と前記天井との間に延在する請求項９に記載の航空機。
【請求項１２】
前記第１及び／又は第２仕切り壁は、１つ以上の開口部を備える請求項９に記載の航空機。
【請求項１３】
旅客設備システムであって、
航空機の胴体内に設置され、座席領域及び１つ以上の共用領域を含む乗客用座席デッキと、
前記乗客用座席デッキの前記座席領域内に設置された複数の乗客用座席と、
前記１つ以上の共用領域内に設置された１つ以上のサービスアンカーとを含み、各サービスアンカーは、移動可能なサービスカートを解除可能に固定するように構成され、該移動可能なサービスカートは、前記移動可能なサービスカート内の格納位置から前記移動可能なサービスカートの外側の展開位置へ移動するように構成された展開可能な構造体を備え
前記共用領域内には、シートベルトが設けられた共有座席が設けられ、前記サービズアンカーは前記共有座席に隣接して設けられている旅客設備システム。
【請求項１４】
更に、前記座席領域内において前記複数の乗客用座席の間に設置された複数の固定されたサービス柱状物を含む請求項１３に記載の旅客設備システム。
【請求項１５】
前記複数の固定されたサービス柱状物は、前記乗客用座席デッキの床と前記乗客用座席デッキの天井との間に延在する請求項１４に記載の旅客設備システム。
【請求項１６】
前記複数の固定されたサービス柱状物のうちの少なくとも１つの固定されたサービス柱状物は、乗客が使用できる又は乗客が購入できる物品を受け入れる寸法をした１つ以上の区画を備える請求項１４に記載の旅客設備システム。
【請求項１７】
前記移動可能なサービスカートの前記展開可能な構造体は、前記展開位置ではアクセスでき、前記格納位置ではアクセスできない１つ以上の区画を備える請求項１３に記載の旅客設備システム。
【請求項１８】
更に、前記１つ以上の共用領域のうちの少なくとも１つに設置された展開可能な調理室システムを含む請求項１３に記載の旅客設備システム。
【請求項１９】
前記展開可能な調理室システムは、１つ以上の調理室キャビネットを含み、各調理室キャビネットは、格納位置と展開位置との間を前記長手方向軸に直交する方向に移動するように構成される請求項１８に記載の旅客設備システム。
【発明の詳細な説明】
【技術分野】
【０００１】
本願は、２０１５年４月８日に出願された『下部デッキ及びクラウン（ｃｒｏｗｎ）の寝台』と題する米国仮出願第６２／１４４，７２８号（「‘７２８出願」）、２０１５年４月８日に出願された『客室サービスポイント』と題する米国仮出願第６２／１４４，７３７号（「’７３７出願」）及び２０１５年４月８日に出願された『客室スパイン（ｓｐｉｎｅ）』と題する米国仮出願第６２／１４４，７５７号（「‘７５７出願」）に関し、それらによる優先権を主張し、それぞれの開示内容全体を援用して本文の一部とする。
【０００２】
本開示の分野は、乗客用座席に関する。特に、旅客機内の乗客用座席のレイアウトが提供される。
【背景技術】
【０００３】
商業航空機の内部レイアウトは、一般に、スペースを最大限に活用するように設計されてきた。これは、特にエコノミークラスの座席に当てはまる。そうする際に、航空機の長手方向に設置される乗客用座席の数（例えば、座席の横列数）及び航空機の幅方向に設置される乗客用座席の数（例えば、各横列の座席数）が、ぎっしり詰まった座席配置をもたらした。乗客によっては、そのようなぎっしり詰まった座席配置のために四方八方を乗客に囲まれていると感じるだけで圧倒され得る。
【発明の概要】
【課題を解決するための手段】
【０００４】
本開示が取り扱う本発明の実施形態は、この概要ではなく、以下の請求項により定義される。この概要は、本開示の多様な態様の高度な概略であり、以下の詳細な説明の章で、更に記載される概念のいくつかを紹介する。この概要は、請求される主題の鍵となる又は本質的な特徴を特定することを意図しておらず、また、請求される主題の範囲を決定するために単独で使用されることを意図していない。主題は、本特許の明細書全体の適切な部分、いずれか又は全ての図面、及び各請求項を参照することによって理解されるべきである。
【０００５】
特定の例に従って、旅客設備システムが提供される。この旅客設備システムは、乗客用座席デッキと乗客休息デッキを含むことができる。乗客用座席デッキは、航空機の胴体内に設置することができる。乗客用座席デッキは、乗客用座席領域と１つ以上の共用領域を含むことができ、胴体は、航空機の進行方向に延伸する長手方向軸を有する。乗客用座席デッキは、また、乗客用座席デッキ内の乗客用座席領域内に設置された複数の乗客用座席を含むことができる。複数の乗客用座席は、横列セットと縦列セットに配置することができ、縦列セットのうちの少なくともいくつかの縦列は、長手方向軸に合わせて位置決めすることができる。乗客用座席デッキは、また、乗客用座席デッキ内に設置され、かつ複数の乗客用座席の間に延在して第１乗客用座席サブ領域と第２乗客用座席サブ領域を画定する仕切り壁を含むことができる。乗客用座席デッキは、また、１つ以上の共用領域内に設置された１つ以上のサービスアンカーを含むことができ、各サービスアンカーは、移動可能なサービスカートを解除可能に固定するように構成されている。移動可能なサービスカートは、移動可能なサービスカート内の格納位置から移動可能なサービスカートの外側の展開位置へ移動するように構成された展開可能な構造体を含むことができる。乗客用座席デッキは、また、１つ以上の共用領域の１つ内に設置された展開可能な調理室（ｇａｌｌｅｙ）システムを含むことができ、展開可能な調理室システムは、１つ以上の調理室キャビネットを含み、各調理室キャビネットは、格納位置と展開位置との間において長手方向に直交する方向に移動するように構成される。乗客休息デッキは、胴体内の、乗客用座席デッキの上方の位置に設置することができる。乗客休息デッキは、長手方向軸に合わせて位置決めされたアクセス通路と、複数の休息用小部屋とを含むことができる。複数の休息用小部屋の個々の休息用小部屋は、長手方向軸に対して傾斜した角度で位置決めすることができる。各休息用小部屋は、休息面と、休息面と胴体の上部との間に延在する中仕切セットとを含むことができる。
【０００６】
特定の例に従って、旅客設備システムが提供される。このシステムは、乗客用座席デッキ、複数の乗客用座席、及び仕切り壁を含むことができる。乗客用座席デッキは、航空機の胴体内に設置することができる。乗客用座席デッキは、床と天井によって画定することができる。胴体は、航空機の進行方向に延伸する長手方向軸を有する。複数の乗客用座席は、乗客用座席デッキ内に設置することができる。複数の乗客用座席は、横列セットと縦列セットに配置することができ、縦列セットのうちの少なくともいくつかの縦列は、長手方向軸に合わせて位置決めすることができる。仕切り壁は、乗客用座席デッキ内に設置して、第１領域と第２領域を画定することができる。複数の乗客用座席のうちの乗客用座席セットは、少なくとも第１領域内に設置することができる。本システムは、また、第１領域内に設置された第１乗客用通路と、第２領域内に設置された第２乗客用通路とを含むことができる。航空機の乗客は、第１乗客用通路又は第２乗客用通路の少なくとも１つを使って、第１領域と第２領域との間を移動することができる。
【０００７】
いくつかの例では、仕切り壁は、湾曲部と直線部を含むことができ、直線部は、長手方向軸に合わせて位置決めすることができ、湾曲部は、長手方向軸に対して曲線を描くことができる。
【０００８】
いくつかの例では、乗客用座席セットは、第１乗客用座席セットとなることができる。複数の乗客用座席のうちの第２乗客用座席セットは、第２領域内に設置することができる。
【０００９】
いくつかの例では、第２乗客用通路は、第１の側を仕切り壁に、また第２の側を胴体によって画定することができる。
【００１０】
いくつかの例では、本システムは、更に、航空機の胴体内の、乗客用座席デッキの上方の位置に設置された乗客休息デッキを含むことができる。
【００１１】
いくつかの例では、乗客休息デッキは、長手方向軸に沿って延在するアクセス通路と、複数の休息用小部屋とを含むことができる。複数の休息用小部屋の個々の休息用小部屋は、長手方向軸に対して傾斜した角度で位置決めすることができる。各休息用小部屋は、また、休息面と、休息面と胴体の上部との間に延在する中仕切セットとを含むことができる。
【００１２】
いくつかの例では、乗客休息デッキは、第１乗客休息デッキとなることができる。本旅客設備システムは、また、航空機の胴体内の、乗客用座席デッキの下方の位置に設けられた第２乗客休息デッキを含むことができる。
【００１３】
いくつかの例では、本システムは、航空機の胴体内の、乗客用座席デッキの下方の位置に設置された乗客休息デッキを含むことができる。この乗客休息デッキは、長手方向軸に沿って延在するアクセス通路と、各々が長手方向軸に直交する方向に延在する複数の休息用小部屋とを含むことができる。
【００１４】
特定の例に従って、航空機が提供される。この航空機は、乗客用座席デッキ、複数の乗客用座席、及び仕切り壁を含むことができる。乗客用座席デッキは、航空機の胴体内に設置することができる。胴体は、航空機の進行方向に延伸する長手方向軸を有することができる。複数の乗客用座席は、乗客用座席デッキ内に配置することができる。複数の乗客用座席は、横列セットと縦列セットに配置することができ、縦列セットのうちの少なくともいくつかの縦列は、長手方向軸に合わせて位置決めすることができる。仕切り壁を乗客用座席デッキ内に設置して、複数の乗客用座席のうちの第１乗客用座席セットと複数の乗客用座席のうちの第２乗客用座席セットを分離することができる。いくつかの例では、仕切り壁の少なくとも一部が長手方向軸に合わせて位置決めされる。航空機の乗客は、第１乗客用座席セットと第２乗客用座席セットとの間を移動することができる。
【００１５】
いくつかの例では、前記仕切り壁の前記一部は、第１部分である。仕切り壁は、更に、長手方向軸に直交する方向に延在する第２部分と、第１部分及び第２部分を曲面を描いて取り付ける第３部分とを含むことができる。
【００１６】
いくつかの例では、航空機は、更に、航空機の胴体内の、乗客用座席デッキの下方の位置に設置された乗客休息デッキを含むことができる。乗客休息デッキは、長手方向軸に沿って延在するアクセス通路と、各々が長手方向軸に直交する方向に延在する複数の休息用小部屋とを含むことができる。
【００１７】
いくつかの例では、乗客用座席デッキは、床と天井によって画定されることができる。仕切り壁は、床と天井の間に延在することができる。
【００１８】
いくつかの例では、前記仕切り壁は、第１仕切り壁となることができる。航空機は、また、乗客用アクセス廊下（通廊）と第２乗客用座席セットを分離するために、乗客用座席デッキ内に設置された第２仕切り壁を含むことができる。
【００１９】
いくつかの例では、仕切り壁は、１つ以上の開口部を含むことができる。
【００２０】
特定の例に従って、旅客設備組立体（アセンブリ）が提供される。この旅客設備組立体は、乗客用座席デッキ、複数の乗客用座席、及び１つ以上のサービスアンカーを含むことができる。乗客用座席デッキは、航空機の胴体内に設置することができる。乗客用座席デッキは、座席領域と１つ以上の共用領域を含むことができる。複数の乗客用座席は、乗客用座席デッキの座席領域内に設置することができる。１つ以上のサービスアンカーは、１つ以上の共用領域内に設置することができる。各サービスアンカーは、移動可能なサービスカートを解除可能に固定するように構成することができる。移動可能なサービスカートは、移動可能なサービスカート内の格納位置から移動可能なサービスカートの外側の展開位置へ移動するように構成された展開可能な構造体を含むことができる。
【００２１】
いくつかの例では、本システムは、更に、座席領域内の、複数の乗客用座席の間に設けられた複数の固定されたサービス柱状物を含むことができる。
【００２２】
いくつかの例では、複数の固定されたサービス柱状物は、乗客用座席デッキの床と乗客用座席デッキの天井との間に延在することができる。
【００２３】
いくつかの例では、複数の固定されたサービス柱状物のうちの少なくとも１つの固定されたサービス柱状物は、乗客が利用可能な、または乗客が購入可能な物品を受け入れる寸法をした１つ以上の区画を含むことができる。
【００２４】
いくつかの例では、移動可能なサービスカードの展開可能な構造体は、展開位置ではアクセスでき、格納位置ではアクセスできない１つ以上の区画を含むことができる。
【００２５】
いくつかの例では、本システムは、更に、１つ以上の共用領域の少なくとも１つに設置された展開可能な調理室システムを含むことができる。
【００２６】
いくつかの例では、展開可能な調理室システムは、１つ以上の調理室キャビネットを含むことができ、各調理室キャビネットは、格納位置と展開位置との間で長手方向に直交する方向に移動するように構成される。
【図面の簡単な説明】
【００２７】
【図１】旅客機の胴体の乗客用座席デッキの少なくとも一例の平面図である。
【００２８】
【図２】図１の旅客機の胴体の乗客休息デッキの少なくとも一例の平面図である。
【００２９】
【図３】図１の旅客機の胴体の少なくとも一例の断面図である。
【００３０】
【図４】乗客用座席デッキ及び乗客休息デッキの少なくとも一例の側面斜視図である。
【００３１】
【図５】乗客用座席デッキの少なくとも一例の前面斜視図である。
【００３２】
【図６Ａ】座席設備システム内の乗客用座席横一列の少なくとも一例である。
【００３３】
【図６Ｂ】座席設備システム内の乗客用座席横一列の少なくとも一例である。
【００３４】
【図６Ｃ】座席設備システム内の乗客用座席横一列の少なくとも一例である。
【００３５】
【図６Ｄ】座席設備システム内の乗客用座席横一列の少なくとも一例である。
【００３６】
【図６Ｅ】座席設備システム内の乗客用座席横一列の少なくとも一例である。
【００３７】
【図６Ｆ】座席設備システム内の乗客用座席横一列の少なくとも一例である。
【００３８】
【図６Ｇ】座席設備システム内の乗客用座席横一列の少なくとも一例である。
【００３９】
【図６Ｈ】座席設備システム内の乗客用座席横一列の少なくとも一例である。
【００４０】
【図６Ｉ】座席設備システム内の乗客用座席横一列の少なくとも一例である。
【００４１】
【図７】展開可能な調理室システムの少なくとも一例の前面図である。
【００４２】
【図８】図７の展開可能な調理室システムの少なくとも一例の側面斜視図である。
【００４３】
【図９Ａ】格納位置にある展開可能な構造体を有する移動可能なサービスカートの少なくとも一例の前面斜視図である。
【００４４】
【図９Ｂ】展開位置にある展開可能な構造体を有する図９Ａの移動可能なサービスカートの少なくとも一例の前面斜視図である。
【発明を実施するための形態】
【００４５】
本特許において使用される「開示」、「本開示（the disclosure）」、「この開示」及び「本開示（the present disclosure）」という用語は、本特許の主題及び以下の特許請求項の全てを広く指すことを意図している。これらの用語を含む文章は、本書に記載される主題を限定しない、又は以下の特許請求項の意味若しくは範囲を限定しないと理解されるべきである。本記載の実施形態の主題は、法令要件を満たすために特定してここに記載されているが、この記載は請求項の範囲を限定することを必ずしも意図していない。請求されている主題は、他の方法で実施されてもよく、異なる要素又はステップを含んでもよく、他の既存又は将来の技術と併せて使用されてもよい。この記載は、個々のステップの順序又は要素の配置が明示的に記載されている場合を除き、各種ステップ又は要素間の特定の順序又は配置を暗示すると解釈されるべきでない。
【００４６】
本開示に記載される実施形態は、旅客機の胴体内の様々な旅客設備システムを提供する。旅客設備システムは、旅客機用として論じられるが、決してそのように限定されない。むしろ、旅客設備システムの実施形態は、乗用車両又は任意のタイプの若しくは所望される他の車両で使用し得る。
【００４７】
本書に記載される実施形態は、乗客が旅客機内で過ごす時間の局面に対応するための旅客設備システムを提供する。例えば、旅客設備システムは、本書に記載されるシステムに従って配置された個別デッキを有する複数のデッキを含むことができる。例えば、乗客休息デッキは、乗客デッキの上方及び／又は下方に設置された休息用小部屋セットを含むことができる。乗客デッキは、乗客用座席領域と共用領域を含むことができる。乗客用座席領域は、仕切り壁を用いて分割して乗客用座席サブ領域を創り出すことができる。仕切り壁は、旅客機の進行方向の長手方向軸に沿って延伸する軸に合わせて位置決めすることができる。乗客は、仕切り壁にもかかわらず、サブ領域の間を自由に移動し得る。サービス柱状物（サービストーテムと称されることもある）は、（例えば、１つ以上の座席の代わりに）乗客用座席領域全体にわたって設置することができる。これらのサービス柱状物は、乗客が利用可能なセルフサービスの物品を収納することができる。共用領域は、移動可能なサービスカートを受けるためのサービスアンカー地点を含むことができる。移動可能なサービスカートは、飛行中、サービスアンカー地点に泊め置くことができる。サービス柱状物同様、移動可能なサービスカートは、乗客が利用可能なセルフサービスの物品を含むことができる。移動可能なサービスカートは、離陸時や着陸時に、簡単に格納するために展開可能にすることができる。共用領域は、また、展開可能な調理室システムを含むことができる。例示的な展開可能な調理室システムは、格納位置と展開位置との間を鉛直方向に移動する調理室キャビネットを含むことができる。調理室キャビネットが格納位置にあると、展開可能な調理室システムは、乗客や航空機乗務員による平面へアクセスの向上をもたらすことができる。
【００４８】
さて、図面に目を向けると、図１は、旅客機１１の胴体１２の乗客用座席デッキ１０の少なくとも一例の平面図を示す。旅客設備システムは、乗客用座席デッキ１０の要素を含んで実施し得る。乗客用座席デッキ１０は、一般に、少なくとも１つの乗客用座席領域１４と少なくとも１つの共用領域１６を含む。共用領域１６は、後部共用領域１６ａ及び／又は前部共用領域１６ｂであり得る。乗客用座席領域１４には、一連の横列２０と一連の縦列２２に配置された乗客用座席１８が設置されている。２つ以上の長手方向乗客用通路２４が乗客用座席領域１４に示されている。乗客用通路２４は、旅客機１１の進行方向に平行に伸びる長手方向軸４７に合わせて位置決めすることができる。乗客用通路２４によって、乗客は、航空機内で前後に（例えば、共有領域１６を横断する長手方向に）移動し、乗客用座席サブ領域２６の間を（例えば、長手方向に及び／又は幅方向に）移動することができる。
【００４９】
図１に示されるように、乗客用座席領域１４は、長手方向仕切り壁２８を用いて、１つ以上の乗客用座席サブ領域２６に仕切られる。仕切り壁２８の少なくとも一部は、乗客用通路２４に略平行に伸びることが示されている。仕切り壁２８は、また、下記にさらに詳細に記載される前部湾曲３２を有することが示されている。このように創り出される乗客用座席サブ領域２６は、異なるサービスクラス（例えば、ビジネスクラス、エコノミーなど）又はサービスサブクラス（例えば、向上したエコノミー、強化されたビジネスなど）に対応することができる。仕切り壁２８は、乗客が乗客用座席サブ領域２６ａと乗客用座席サブ領域２６ｂとの間を依然として自由に移動できるように、旅客機１１内に設置することができる。言い換えるならば、仕切り壁２８は、複数の乗客用座席サブ領域２６を互いからも、また乗客用座席領域１４を他の乗客用座席領域及び／又は共用領域からも完全に遮断しない。
【００５０】
ある特定の例示的例において、胴体１２は、広胴型航空機の胴体（例えば、直径約５０８−約６１０ｃｍ（２００−２４０インチ））であり得る。乗客用座席領域１４は、広胴型航空機のエコノミークラスの座席用として配置することができる。いくつかの例では、胴体１２は、広胴型航空機より狭い。本例示的例では、乗客用座席領域１４は、横列２０が３ｘ４ｘ３の座席配置（例えば、左側に第１の３座席セット、第１通路、中央に４座席セット、第２通路、及び右側に第２の３座席セット）に整列された横１０席レイアウトを含む。
【００５１】
図１に示される例では、仕切り壁２８は、胴体１２の中央を外れて設置され、典型的に３ｘ４ｘ３座席配置に整列される横列２０と交差して、横列２０が３ｘ１ｘ３ｘ３座席配置（例えば、第１の３座席セット３０ａ、第１乗客用通路２４ａ、単一の座席３０ｂ、仕切り壁２８、第２の３座席セット３０ｃ、第２乗客用通路２４ｂ、及び第３の３座席セット３０ｄ）に整列された横１０席レイアウトを創り出している。座席３０は、乗客用座席１８の例である。本書に記載されるように、仕切り壁２８は、胴体１２の任意の適切な場所に設置することができる。仕切り壁２８は、上記に論じた例に加えて、任意の適切な座席配置を区分することができる。
【００５２】
いくつかの例では、図１に示される方法又は本書に記載される他の方法で乗客用座席領域１４を仕切ると、向上した乗客体験を提供し得る。乗客に囲まれているとの感覚が全ての乗客にとって低減される。例えば、仕切り壁２８を設けるので、乗客用座席サブ領域２６の乗客は、仕切り壁２８を含まない一般的な配置より少ない乗客に囲まれる。これは、特に、乗客用座席サブ領域２６ａの、仕切り壁２８に隣接する縦列２２ｄに座っている乗客に当てはまる。縦列２２ｄと縦列２２ｅの座席は、仕切り壁２８に隣接しているので、これらの座席の乗客は、仕切り壁２８をもたれるために使用することができ、乗客の心地良さを向上させることができる。いくつかの例では、航空機の所有者は、仕切り壁２８の隣りの座席に割増料金を課すことができるであろう。同様に、乗客用座席サブ領域２６ａの座席料金は、乗客用座席サブ領域２６ａにいる乗客の方が少ないので、乗客用座席サブ領域２６ｂの座席料金より高くなり得る。
【００５３】
ここに記載されるように、仕切り壁２８は、乗客用座席領域１４から１つ以上の共用領域１６に延在することができ、任意の適切な数の湾曲部、屈曲部、直線部などを含むことができる。例えば、仕切り壁２８は、前部共用領域１６ｂに湾曲して延在することができる。したがって、図１に示される例では、仕切り壁２８は、前部湾曲３２を含む。仕切り壁２８は、階段３３又はその他荷重を伴う物を支持することができるように構築することができる。例えば、仕切り壁２８は、乗客用座席デッキ１０の床及び／又は乗客用座席デッキ１０の天井に構造的に結合することができる。階段３３は、主として１つ以上の共用領域１６に設置することができ、他のデッキ（例えば、乗客休息デッキ）へアクセスするために乗客が使用可能である。
【００５４】
示されるように、乗客用座席領域１４内には、１つ以上のサービス柱状物３４（円として表示）が設置される。いくつかの例では、サービス柱状物３４は、乗客用座席１８の代わりに、乗客用座席領域１４に設置される。示されるように、共用領域１６内には、１つ以上のサービスアンカー３６が設置される。サービスアンカー３６は、セルフサービス専用である共用領域１６の特定領域に位置付けられる。サービスアンカー３６は、飛行中、１つ以上の移動可能なサービスカート３８を解除可能に固定するように構成された任意の適切な構造体又は機構であってよい。サービスアンカー３６の例は、胴体１２の壁に取り付けられ、移動可能なサービスカート３８と解除可能に連結するように構成されたベルト、乗客用座席デッキ１０の床に設置されるか、又は胴体１２の壁に取り付けられ、移動可能なサービスカート３８と解除可能に連結するように構成されたラッチ機構、乗客用座席デッキ１０の床に設置されるか、又は胴体１２の壁に取り付けられ、移動可能なサービスカート３８の１つ以上の他の磁石と解除可能に連結するように構成された1つ以上の磁石、前記の任意組み合わせ、及び他の適切な構造体又は機構を含むが、それらに限定されない。
【００５５】
実際には、移動可能なサービスカート３８は、地上走行、離陸、及び着陸の間は専用格納場所に格納することができる。例えば、そのような専用格納場所は、調理室４０内であり得る。飛行中は、航空機乗務員が移動可能なサービスカート３８を専用格納場所からサービスアンカー３６のある共用領域１６内の専用領域へ移動することができる。航空機乗務員は、また、サービスアンカー３６を用いて、移動可能なサービスカート３８を胴体１２に連結することができる。例えば、移動可能なサービスカート３８ａは、サービスアンカー３６ａに連結されていることが示されている。サービスアンカー３６ｂは、連結されたそれ自身の移動可能なサービスカート３８を、今は有していない。
【００５６】
前に紹介したように、共用領域１６は、調理室４０を含むことができる。いくつかの例では、調理室４０は、本書に記載される展開可能な調理室システムを含むことができる。
【００５７】
図２は、旅客機１１の胴体１２の乗客休息デッキ４４の少なくとも一例の平面図を示す。乗客休息デッキ４４は、乗客用座席デッキ１０の上方に設置され、その一部が図２に例示され、図３及び図４の断面図に示されている。乗客休息デッキ４４は、アクセス通路４３と、複数の乗客休息用小部屋４６とを含む。乗客休息デッキ４４は、階段３３を介してアクセスすることができる。（乗客休息用小部屋４６ａを参照しながら論じられる）各乗客休息用小部屋４６は、休息面４８と、２つ以上の中仕切又は壁５０の間に設置された拡張領域５２とを含む。休息面４８は、快適な休息体験を乗客に提供するために、クッション、マットレス、枕などの任意の適切な組合せを含むことができる。
【００５８】
いくつかの例では、休息面４８は、直立位置から倒した位置へ動かすことができる。拡張領域５２も、クッション、枕などを含むことができ、乗客に腕を伸ばす追加スペースを提供し得る。いくつかの例では、拡張領域５２は、更に、食物又は娯楽用品用の食事面及び／又は構造体を含む。例えば、拡張領域５２は、休息面４８の少なくとも一部の上方の位置に展開可能なトレイテーブルを含むことは可能である。いくつかの例では、拡張領域５２は、１つ以上の個人娯楽システム（例えば、オーディオ及び／又は映像）及び／又は個人の電子機器を充電するためのポート、プラグなどを含むことができる。拡張領域５２は、また、小さな乗客私物（例えば、洋服、小型キャリーバッグなど）を受容及び／又は収納するスペースを含むことができる。いくつかの例では、拡張領域５２は、ドアによって休息面４８から分離することができる。このようにして、拡張領域５２は、クローゼットとして機能することができる。他の例では、拡張領域５２は、スムーズに休息面４８に移行する。
【００５９】
中仕切５０は、１つの乗客休息用小部屋４６を他から分ける働きをすることができる。いくつかの例では、中仕切５０は、休息面４８から胴体１２の上部又は乗客休息デッキ４４の他の天井まで延在する。このようにして、中仕切５０は、乗客休息用小部屋４６の少なくとも両側面を包囲する働きをすることができる。乗客休息用小部屋４６は、また、アクセス領域５４を含む。アクセス領域５４を通って、乗客は乗客休息用小部屋４６にアクセスする。いくつかの例では、アクセス領域５４は、開閉できるドアを含む。いくつかの例では、アクセス領域５４は、アコーデオンドア、折り畳みドア、カーテン、又は、さえぎるもののない開口部の上方のプライバシーを増す、任意の他の適切な構造体を含むことができる。このようにして、乗客休息用小部屋４６は、乗客にプライバシーを提供し得る。
【００６０】
乗客休息用小部屋４６は、胴体１２内のスペースを最大限に活用しようとして、乗客休息デッキ４４に設置することができる。例えば、乗客休息用小部屋４６は、胴体１２の長手方向軸４７に対して傾斜した角度４５で位置決めすることができる。いくつかの例では、傾斜した角度４５の寸法は、３０度から８０度の間である。いくつかの例では、寸法は約６０度である。角度４５の寸法は、乗客休息デッキ４４の幅に左右され得るし、胴体１２内の乗客休息デッキ４４の要素の高さに左右される。いくつかの例では、角度４５は、乗客休息用小部屋４６のサイズと長手方向軸４７に沿ったそれらの位置とに大きく左右され得る。例えば、胴体１２は、後部付近で先細になり、角度４５が鋭くなり得るが、胴体の幅広部分では、角度４５は鋭くないであろう。乗客休息用小部屋４６の配置は、へリングボーン形状に相当する。
【００６１】
図１に戻ると、共用領域１６内には、共用又は共有座席４２も設置されている。いくつかの例では、共有座席４２は、他の乗客用座席１８のようにシートベルトを含むことができ、飛行中の異なる時間に特定のクラスの乗客が使用することができる。例えば、乗客休息デッキ４４が設けられている場合、共有座席４２は、地上走行、離陸、及び着陸の間は、乗客休息デッキ４４の休息用小部屋４６を使用するチケットを購入した乗客で満たされ得る。ひとたび飛行に入ると、このような乗客は、共有座席４２を立ち退いて乗客休息デッキ４４に移動することができる。共有座席４２が空席となると、乗客用座席領域１４からの乗客（例えば、エコノミークラスの乗客）が共有座席４２を占めることができる。共有座席４２は、乗客用座席デッキ１０内の共用領域１６内に配置されるので、共有座席４２は、乗客が集まるのを後押しする場となることができる。これは、乗客の移動が飛行体験の向上となり得る長距離飛行には、特に望ましいであろう。いくつかの例では、共用領域１６は、共有座席４２に座っている乗客が、共有座席４２に座っている間に飲食しゲームなどをすることができるように、共有座席４２を囲むテーブルなどを含むことができる。例えば、乗客が共用領域１６ａにいる（例えば、おそらく共有座席４２ａに座っている）ときに、共用領域１６ａに座っていながら楽しむことのできる食品、新聞などを入手するために移動可能なサービスカート３８を訪ねることができる。地上走行、離陸、及び着陸の間は、乗客休息デッキ４４のチケットを持つ乗客は、共有座席４２に戻って、このような飛行のより重要な部分の間、これらの座席を占めることができる。
【００６２】
図３は、旅客機１１の胴体１２の少なくとも一例の横断面（ｐｒｏｆｉｌｅ）図を示す。この横断面図は、乗客休息デッキ４４の簡略図と下部乗客休息デッキ５６の簡略図との間に設置された乗客用座席デッキ１０を含む。乗客用座席デッキ１０は、乗客用座席１８と頭上収納荷物入れ（ｂｉｎ）５８とを含む。いくつかの例では、本書に記載されるように旅客機１１を配置すると、頭上収納荷物入れ５８の一般的な高さに影響を及ぼさない。しかし、アクセス通路４３のスペースを用意するために、乗客用座席デッキ１０の天井の中央部分６０を、中央の並びの乗客用座席６２の上で低くすることができる。したがって、示されるように、アクセス通路４３は、乗客休息デッキ４４の休息面４８の下方になる高さに設けることができる。このようにして、休息面４８を利用したい乗客は、乗客休息用小部屋４６に「上がる」必要があるであろう。いくつかの例では、休息面４８の高さは、アクセス通路４３と略同じである。いくつかの例では、アクセス通路４３の幅６３は、約３８．１〜７６．２ｃｍ（１５−３０インチ）の間となることができ、アクセス通路４３の端から胴体１２の端までの直交距離６５は、約１６５．１〜２１５．９ｃｍ（約６５−８５インチ）となることができる。いくつかの例では、アクセス通路４３の幅６３は、約５０．８ｃｍ（約２０インチ）であり、直交距離６５は、約１８５．４ｃｍ（約７３インチ）である。
【００６３】
アクセス通路４３の床の鉛直方向高さは、大部分の乗客が前かがみになる必要なくアクセス通路４３を歩くことができ、中央の並びの乗客用座席６２の乗客が天井の中央部６０によって過度に束縛されないように選択し得る。
【００６４】
さらに、あるいはその代わりに、下部乗客休息デッキ５６を設けることができる。いくつかの例では、下部乗客休息デッキ５６は、乗客休息デッキ４４と同様の物を備えている。このようにして、下部乗客休息デッキ５６は、一般に、乗客休息用小部屋６４、休息面６６、及び下部通路６８を含む。いくつかの例では、下部乗客休息デッキ５６の乗客休息用小部屋６４は、胴体１２の長手方向軸に直交して位置決めされる。これは、下部乗客休息デッキ５６に関連するスペースが、乗客休息デッキ４４に関連するスペースより大きくなり得るためである。例えば、下部通路６８の幅７１は、約６３．５ｃｍから約８８．９ｃｍ（２５インチから３５インチ）の間になり、（休息面６６の長さに直接対応する）直交距離７３は、約１７７．８ｃｍから約２０３．２ｃｍ（７０インチから８０インチ）の間になり得る。いくつかの例では、幅７１は、約７８．７ｃｍ（約３１インチ）であり、直交距離７３は、約１９３.０ｃｍ（約７６インチ）である。
【００６５】
図４は、旅客機１１の乗客用座席デッキ１０及び乗客休息デッキ４４の少なくとも一例の側面斜視図を示す。示されるように、乗客休息デッキ４４は、乗客用座席デッキ１０の上方に設置されている。仕切り壁２８は、乗客用座席デッキ１０を分けるように示されている。休息面４８、中仕切５０、及び拡張領域５２を含む乗客休息用小部屋４６も、この図には示されている。
【００６６】
乗客用座席デッキ１０は、乗客用座席１８の間に設置されたサービス柱状物３４を含む。いくつかの例では、サービス柱状物３４は、１つ以上の乗客用座席１８の代わりに設置することができる。サービス柱状物３４は、乗客用座席デッキ１０の床から乗客用座席デッキ１０の天井まで延在することができる。いくつかの例では、サービス柱状物３４は、乗客用座席デッキ１０のあらゆる場所に（例えば、共用領域１６に）設けられる。
【００６７】
各サービス柱状物３４は、乗客用座席デッキ１０の乗客が便利にアクセスできる１つ以上の区画７０を含むことができる。いくつかの例では、区画７０は、物品を区画７０内に閉じ込めるために扉を含むことができる。いくつかの例では、サービス柱状物３４は、セルフサービス自動販売機として機能することができる。いくつかの例では、サービス柱状物３４は、料金を受け取ると購入された商品へのアクセスを許可するために、適切な電子機械機構を含むことができる。例えば、制御モジュールと相互作用するユーザーインターフェースを設けることができる。ユーザーインターフェースを使って、乗客は、どの物品及び／又は区画７０にアクセスして、その物品及び／又は区画７０の代金を支払いたいかを選択することができる。支払いがなされると、制御モジュールは、（例えば、区画７０をロック解除して、又は選択された物品をサービス柱状物の共用アクセス可能領域に移動させて）当該物品を乗客にアクセス可能にすることができる。いくつかの例では、サービス柱状物で入手可能な物品は、機内で一般に入手可能な任意の適切なサービス又は物品（例えば、食物、飲み物、雑誌、電子機器、電子装備品、前記を含み得る免税品など）を含むことができる。いくつかの例では、物品のうちの少なくともいくつかは、乗客が無償で入手することができる。例えば、新聞は全ての乗客が入手可能であってもよい。いくつかの例では、少なくともいくつかの区画７０は、支払いを要する物品を含むことができ、一方、他の区画７０は、支払いを要しない物品を含むことが可能である。
【００６８】
図５は、旅客機１１の乗客用座席デッキ１０の少なくとも一例の前面斜視図を示す。図５に示される例では、仕切り壁２８は、外周通路７２又は乗客用アクセス廊下（通廊）を画定する胴体１２内の位置に設置されている。したがって、外周通路７２は、仕切り壁２８と胴体１２の側面との間に位置している。乗客用通路２４と異なり、外周通路７２は、胴体１２に隣接しており、乗客用座席領域１４から分離している。したがって、外周通路７２は、乗客が他の乗客に影響を与えることなく、旅客機１１のあらゆる場所に移動するのに都合よいであろう。例えば、乗客は、乗客用座席によって制限される乗客用通路２４を使って移動する必要なく、共用領域の間を移動して洗面所などへ行くことができる。
【００６９】
いくつかの例では、外周通路７２は、１つ以上の共有座席４２と移動可能なサービスカート３８とを含むことができる。図５に示されるように、仕切り壁２８は、乗客用座席デッキ１０の床から乗客用座席デッキ１０の天井まで延在することができる。仕切り壁２８は、中断部又は開口部を含まない連続した壁となることができる。いくつかの例では、仕切り壁２８は、光と空気を旅客機１１全体に移動させるために、スリット又は開口部７４を含む。いくつかの例では、開口部７４は、乗客用座席１８に座っているときに乗客の足を動かす追加スペースを提供するために、例示されているより大きくして、乗客の足の近くに設けることは可能である。他の例では、開口部７４は、乗客が通り抜けられるだけの大きさであり得る。このようにして、開口部７４は、旅客機１１を横切って幅方向に移動するためのアクセスポイントとして機能することができる。仕切り壁２８は、複数の個別部分で構成することができる。この例では、異なる部分は、乗客がその異なる部分の間を通ることができるように離間させることができる。仕切り壁２８は、また、乗客が複数の部分の間を通れないように離間された複数の部分で構成することも可能である。いくつかの例では、仕切り壁２８は、座っている乗客が仕切り壁２８に寄りかかるのを一層快適にするために、詰め物又は他のクッション（ｕｐｈｏｌｓｔｅｒｙ）を含むことができる。
【００７０】
いくつかの例では、仕切り壁２８は、音響特性を有する。例えば、仕切り壁２８は、旅客機１１のエンジンから来る騒音を妨げる働きをすることができる。他の例では、仕切り壁２８は、乗客及び／又は乗務員が集まり得る共有領域又は調理室領域から来る騒音を妨げる働きをすることができる。ある特定の例では、２つの仕切り壁２８が旅客機１１に含まれ、他の乗客用座席より静かな乗客用座席のクラスを創り出すように配置され得る。これは、これらの乗客用座席が２つの仕切り壁２８の間に設けられるからである。仕切り壁２８は、また、航空会社及び／又は他の適切な広告主（例えば、旅客機で販売する食品用）の広告を表示するために使用することができる。
【００７１】
仕切り壁２８は、アルミニウム、ステンレス鋼、アラミド繊維、ポリカーボネート、ポリプロピレン、他の金属材料、複合材料、ガラス、又は他の類似材料を含むが、それらに限定されない適切な材料で形成することができる。仕切り壁２８は、透明、半透明、及び／又は不透明な区域を含むことができる。例えば、仕切り壁２８は、活性なガラス小区域を含むことができるガラスで形成された１つ以上の区域を含むことができる。これらの活性なガラス小区域は、ガラスの透明度を変更できる場所となることができる。例えば、このような区域は、電流制御することができる。
【００７２】
図６Ａから図６Ｉは、１つ以上の仕切り壁２８に関する例示的な乗客用座席横列レイアウト７６から９２を示す。図６Ａは、乗客用座席ＣとＤとの間に設置された仕切り壁２８を含んで、２ｘ１ｘ４ｘ３レイアウトを創り出す乗客用座席横列レイアウト７６を示す。図６Ｂは、乗客用座席ＤとＥとの間に設置された仕切り壁２８を含んで、２ｘ２ｘ４ｘ２レイアウトを創り出す乗客用座席横列レイアウト７８を示す。図６Ｃは、乗客用座席ＢとＣとの間に設置された仕切り壁２８を含んで、１ｘ１ｘ４ｘ４レイアウトを創り出す乗客用座席横列レイアウト８０を示す。図６Ｄは、乗客用座席ＥとＦとの間に設置された仕切り壁２８を含んで、３ｘ２ｘ２ｘ３レイアウトを創り出す乗客用座席横列レイアウト８２を示す。図６Ｅは、胴体１２の壁と座席Ａとの間に設置された仕切り壁２８ａ、及び座席ＥとＦとの間に設置された仕切り壁２８ｂを含み、２ｘ３ｘ１ｘ３レイアウトを創り出す乗客用座席横列レイアウト８４を示す。乗客用座席横列レイアウト８４は、外周通路７２も含む。図６Ｆは、乗客用座席ＣとＤとの間に設置された仕切り壁２８を含んで、２ｘ１ｘ３ｘ３レイアウトを創り出す乗客用座席横列レイアウト８６を示す。図６Ｇは、乗客用座席ＣとＤとの間に設置された仕切り壁２８を含んで、２ｘ１ｘ４ｘ２レイアウトを創り出す乗客用座席横列レイアウト８８を示す。図６Ｈは、乗客用座席ＢとＣとの間に設置された仕切り壁２８を含んで、１ｘ１ｘ４ｘ３レイアウトを創り出す乗客用座席横列レイアウト９０を示す。図６Ｉは、胴体１２の第１壁と乗客用座席Ａとの間に設置された仕切り壁２８ａ、乗客用座席ＣとＤとの間に設置された仕切り壁２８ｂ、及び乗客用通路２４ｂと２４ｃとの間に設置された仕切り壁２８ｃを含んで、２ｘ１ｘ２ｘ２レイアウトを創り出す乗客用座席横列レイアウト９２を示す。数例の座席横列レイアウトを図６Ａから図６Ｉを参照しつつ論じたが、本開示は、より多い又はより少ない乗客用座席と、より多い又はより少ない仕切り壁とを含む他の構成例を含むと理解されるべきである。
【００７３】
図７は、旅客機１１の乗客用座席デッキ１０に設けることのできる展開可能な調理室システム９４の少なくとも一例の前面図を示す。図８は、図７の展開可能な調理室システム９４の側面斜視図を示す。展開可能な調理室システム９４は、調理室４０で実施することができる。展開可能な調理室システム９４は、水平面９６を含むことができ、その水平面９６の下方に１つ以上の調理室カート９８を留め置くことができる。各調理室カート９８は、水平面９６の下方に格納して、ラッチ機構１００又は他の適切な構造体を用いて適切な位置に保つことができる。調理室カート９８は、乗務員がそれぞれの格納場所から外して、旅客機１１の客室のあらゆる場所に移動させることができる。いくつかの例では、移動可能なサービスカート３８は、調理室カート９８に隣接して水平面９６の下方に格納される。
【００７４】
展開可能な調理室システム９４は、また、１つ以上の展開可能な調理室キャビネット１０２を含むことができる。示されるように、展開可能な調理室キャビネット１０２は、胴体１２の上部１０４の下方の展開位置（例えば、展開可能な調理室キャビネット１０２ｃ）から上部１０４の上方及び／又は上部１０４内の格納位置（例えば、展開可能な調理室キャビネット１０２ａ、１０２ｂ、及び１０２ｄ）へ移動するように構成されている。展開可能な調理室システム９４は、展開可能な調理室キャビネット１０２の展開をし易くするように構成された任意の適切な機構を含むことができる。例えば、展開可能な調理室キャビネット１０２は、それぞれ、展開可能な調理室キャビネット１０２の移動をし易くするためのリニアアクチュエータ、釣合い重り、バネシステム、ガス充填ピストン組立体、及び／又は任意の他の適切な機構に取り付けることができる。いくつかの例では、展開可能な調理室キャビネット１０２は、調理室４０の後壁に取り付けられた一式のレールに沿って上下に移動する。示されるように、展開可能な調理室キャビネット１０２は、様々な大きさであってよく、互いに独立して上下に移動することができる。この移動は、胴体１２の長手方向軸に対する直交移動と考えることができる。いくつかの例では、展開可能な調理室システム９４は、乗客休息デッキ４４の下方にならないように乗客用座席デッキ１０の場所に位置付けられる。このようにして、展開可能な調理室キャビネット１０２は、乗客休息デッキ４４によって概して占められるスペースまで上に移動することができる。
【００７５】
従来の調理室と異なり、展開可能な調理室システム９４は、展開可能な調理室キャビネット１０２内での収納と、水平な平面スペース（例えば、水平面９６）との両方を提供する。例えば、展開可能な調理室キャビネット１０２が格納位置にある場合、水平な平面スペースを任意の適切な目的（例えば、乗務員による食物の準備、飲料などを給仕するバーとしての娯楽目的）のために使用することができる。
【００７６】
展開可能な特徴を有する移動可能なサービスカート３８も提供され得る。図９Ａは、格納位置にある展開可能な構造体１０６を備える移動可能なサービスカート３８の少なくとも一例の前面斜視図を示す。図９Ｂは、展開位置にある展開可能な構造体１０６を備える移動可能なサービスカート３８の少なくとも一例の前面斜視図を示す。移動可能なサービスカート３８は、旅客機１１の乗客用座席デッキ１０のサービスアンカー３６の１つに解除可能に固定することができる。例えば、サービスアンカー３６の１つは、共有座席４２に隣接して設けることができ、移動可能なサービスカート３８は、共有座席４２に隣接して解除可能に固定することができる。いくつかの例では、調理室カート９８が一般に使用されるが、移動可能なサービスカート３８も航空機乗務員は使用することができる。例えば、乗務員は、移動可能なサービスカート３８を押して通路を下ることができる。
【００７７】
移動可能なサービスカート３８の展開可能な構造体１０６は、図９Ａの格納位置から図９Ｂの展開位置へと移動するように機能することができる。展開可能な構造体１０６は、展開可能な構造体１０６の上下移動を可能にする任意の適切な構造体及び／又は装置を含むことができる。例えば、展開可能な構造体は、プッシュークリック構造体、電気制御式モータ又はアクチュエータ、展開可能な構造体を手動で引き抜き押し込むためのハンドル、バネ搭載構造体、及び任意の他の適切な構造体又は装置を含むことができる。
【００７８】
展開可能な構造体１０６が動くことは、旅客機１１が地上走行、離陸、及び着陸している間、移動可能なサービスカート３８を格納するために好ましいであろう。例えば、移動可能な構造体１０６は、移動可能なサービスカート３８をサービスアンカー３６と格納場所との間で（例えば、調理室カート９８と共に、あるいは他の場所で）運ぶ又は移動させるときに、格納位置に動かすことができる。移動可能なサービスカート３８をサービスアンカー３６に固定してしまうと、展開可能な構造体１０６を展開して展開可能な構造体１０６の１つ以上の区画１０８を露出することができる。
【００７９】
１つ以上の区画１０８は、旅客機１１の乗客が購入又は使用できる様々な物品１１０を受け入れる寸法であり得る。格納位置では、１つ以上の区画１０８が移動可能なサービスカート３８の内部にある、あるいは乗客にはアクセスできない。展開位置では、１つ以上の区画１０８が移動可能なサービスカート３８の外部にある、あるいは乗客がアクセス可能である。
【００８０】
サービス柱状物３４の１つ以上の区画７０と同様に、１つ以上の区画１０８には、類似する物品を格納することができる。いくつかの例では、区画１０８は、物品を区画１０８内に閉じ込めるために扉を含むことができる。サービス柱状物３４のように、移動可能なサービスカート３８は、セルフサービス自動販売機として機能することができる。いくつかの例では、移動可能なサービスカート３８は、コーヒー、温水と冷水、ソーダ、ジュースなどを分配する１つ以上のディスペンサを含むことができる。いくつかの例では、展開可能な構造体１０６及び／又は移動可能なサービスカート３８は、移動可能なサービスカート３８で利用可能な物品又はサービスに関する広告を含むことができる。例えば、移動可能なサービスカート３８は、特定の企業が販売するコーヒーを分配するために使用することができ、その企業のロゴを展開可能な構造体１０６の外面に取り付けることができる。
【００８１】
以下には、本発明の理解を容易にするために、前記又は後続の例のいずれかに係る更なる例を記載する。
【００８２】
例１。この例では、旅客設備システムが提供され、この旅客設備システムは、航空機の胴体内に設置された乗客用座席デッキを含み、乗客用座席デッキは、乗客用座席領域及び１つ以上の共用領域を含み、胴体は、航空機の進行方向に延伸する長手方向軸を有し、乗客用座席デッキは、また、乗客用座席デッキ内の乗客用座席領域内に設置され、横列セット及び縦列セットに配置された複数の乗客用座席を含み、縦列セットのうちの少なくともいくつかの縦列は、長手方向軸に合わせて位置決めされ、乗客用座席デッキは、更に、乗客用座席デッキ内に設置され、複数の乗客用座席の間に延在して第１乗客用座席サブ領域及び第２乗客用座席サブ領域を画定する仕切り壁と、１つ以上の共用領域内に設置された１つ以上のサービスアンカーとを含み、各サービスアンカーは、移動可能なサービスカートを解除可能に固定するように構成され、移動可能なサービスカートは、移動可能なサービスカート内の格納位置から移動可能なサービスカートの外側の展開位置へ移動するように構成された展開可能な構造体を含み、乗客用座席デッキは、更に、１つ以上の共用領域のうちの１つ内に設置され、１つ以上の調理室キャビネットを含む展開可能な調理室システムを含み、各調理室キャビネットは、格納位置と展開位置との間を長手方向に直交する方向に移動するように構成され、旅客設備システムは、また、胴体内の、乗客用座席デッキの上方の位置に設置された乗客休息デッキを含み、乗客休息デッキは、長手方向軸に合わせて位置決めされたアクセス通路と、複数の休息用小部屋とを含み、複数の休息用小部屋の個々の休息用小部屋は、長手方向軸に対して傾斜した角度で位置決めされ、各休息用小部屋は、休息面と、休息面と胴体の上部との間に延在する中仕切セットとを含む。
【００８３】
例２。この例では、旅客設備システムが提供され、この旅客設備システムは、航空機の胴体内に設置され、床と天井によって画定される乗客用座席デッキを含み、胴体は、航空機の進行方向に延伸する長手方向軸を有し、旅客設備システムは、また、乗客用座席デッキ内に設置され、横列セットと縦列セットに配置された複数の乗客用座席を含み、縦列セットのうちの少なくともいくつかの縦列は、長手方向軸に合わせて位置決めされ、旅客設備システムは、更に、乗客用座席デッキ内に設置されて第１領域と第２領域を画定する仕切り壁を含み、複数の乗客用座席のうちの乗客用座席セットは、少なくとも第１領域内に設置され、旅客設備システムは、更に、第１領域内に設置された第１乗客用通路と、  第２領域内に設置された第２乗客用通路とを含み、航空機の乗客は、第１乗客用通路又は第２乗客用通路の少なくとも１つを使って、第１領域と第２領域との間を移動することができる。
【００８４】
例３。この例では、仕切り壁は、湾曲部と直線部を含み、直線部は、長手方向軸に合わせて位置決めされ、湾曲部は、長手方向軸に対して湾曲している前記又は後続の例のいずれかの旅客設備システムが提供される。
【００８５】
例４。この例では、乗客用座席セットは、第１乗客用座席セットであり、複数の乗客用座席のうちの第２乗客用座席セットが第２領域内に設置される前記又は後続の例のいずれかの旅客設備システムが提供される。
【００８６】
例５。この例では、第２乗客用通路は、第１の側を仕切り壁に、また第２の側を胴体によって画定される前記又は後続の例のいずれかの旅客設備システムが提供される。
【００８７】
例６。この例では、更に、航空機の胴体内の、乗客用座席デッキの上方の位置に設置された乗客休息デッキを含む前記又は後続の例のいずれかの旅客設備システムが提供される。
【００８８】
例７。この例では、乗客休息デッキは、長手方向軸に沿って延在するアクセス通路と、複数の休息用小部屋とを含み、複数の休息用小部屋の個々の休息用小部屋は、長手方向軸に対して傾斜した角度で位置決めされ、各休息用小部屋は、休息面と、休息面と胴体の上部との間に延在する中仕切セットとを含む前記又は後続の例のいずれかの旅客設備システムが提供される。
【００８９】
例８。この例では、乗客休息デッキは、第１乗客休息デッキであり、旅客設備システムは、更に、航空機の胴体内の、乗客用座席デッキの下方の位置に設置された第２乗客休息デッキを含む前記又は後続の例のいずれかの旅客設備システムが提供される。
【００９０】
例９。この例では、更に、航空機の胴体内の、乗客用座席デッキの下方の位置に設置された乗客休息デッキを含み、乗客休息デッキは、長手方向軸に沿って延在するアクセス通路と、複数の休息用小部屋とを含み、各休息用小部屋は、長手方向軸に直交する方向に延在する前記又は後続の例のいずれかの旅客設備システムが提供される。
【００９１】
例１０。この例では、航空機が提供され、この航空機は、航空機の胴体内に設置された乗客用座席デッキを備え、胴体は、航空機の進行方向に延伸する長手方向軸を有し、航空機は、また、乗客用座席デッキ内に設置され、横列セットと縦列セットに配置された複数の乗客用座席を備え、縦列セットのうちの少なくともいくつかの縦列は、長手方向軸に合わせて位置決めされ、航空機は、更に、乗客用座席デッキ内に設置されて、複数の乗客用座席のうちの第１乗客用座席セットと複数の乗客用座席のうちの第２乗客用座席セットを分離する仕切り壁を備え、仕切り壁の少なくとも一部は、長手方向軸に合わせて位置決めされ、航空機の乗客は、第１乗客用座席セットと第２乗客用座席セットとの間を移動することができる。
【００９２】
例１１。この例では、前記仕切り壁の前記一部は、第１部分であり、仕切り壁は、更に、長手方向軸に直交する方向に延在する第２部分と、第１部分及び第２部分を湾曲状に取り付ける第３部分とを含む前記又は後続の例のいずれかの航空機が提供される。
【００９３】
例１２。この例では、乗客用座席デッキは、床と天井によって画定され、仕切り壁は、前記床と前記天井との間に延在する前記又は後続の例のいずれかの航空機が提供される。
【００９４】
例１３。この例では、前記仕切り壁は、第１仕切り壁であり、航空機は、更に、乗客用座席デッキ内に設置されて、乗客用アクセス廊下（通廊）と第２乗客用座席セットを分離する第２仕切り壁を備える前記又は後続の例のいずれかの航空機が提供される。
【００９５】
例１４。この例では、仕切り壁は、１つ以上の開口部を備える前記又は後続の例のいずれかの航空機が提供される。
【００９６】
例１５。この例では、旅客設備システムが提供され、この旅客設備システムは、航空機の胴体内に設置され、座席領域及び１つ以上の共用領域を含む乗客用座席デッキと、乗客用座席デッキの座席領域内に設置された複数の乗客用座席と、１つ以上の共用領域内に設置された１つ以上のサービスアンカーとを含み、各サービスアンカーは、移動可能なサービスカートを解除可能に固定するように構成され、移動可能なサービスカートは、移動可能なサービスカート内の格納位置から移動可能なサービスカートの外側の展開位置へ移動するように構成された展開可能な構造体を備える。
【００９７】
例１６。この例では、更に、座席領域内において複数の乗客用座席の間に設置された複数の固定されたサービス柱状物を含む前記又は後続の例のいずれかの旅客設備システムが提供される。
【００９８】
例１７。この例では、複数の固定されたサービス柱状物は、乗客用座席デッキの床と乗客用座席デッキの天井との間に延在する前記又は後続の例のいずれかの旅客設備システムが提供される。
【００９９】
例１８。この例では、複数の固定されたサービス柱状物のうちの少なくとも１つの固定されたサービス柱状物は、乗客が使用できる又は乗客が購入できる物品を受け入れる寸法をした１つ以上の区画を備える前記又は後続の例のいずれかの旅客設備システムが提供される。
【０１００】
例１９。この例では、移動可能なサービスカートの展開可能な構造体は、展開位置ではアクセスでき、格納位置ではアクセスできない１つ以上の区画を備える前記又は後続の例のいずれかの旅客設備システムが提供される。
【０１０１】
例２０。この例では、更に、１つ以上の共用領域のうちの少なくとも１つに設置された展開可能な調理室システムを含む前記又は後続の例のいずれかの旅客設備システムが提供される。
【０１０２】
例２１。この例では、展開可能な調理室システムは、１つ以上の調理室キャビネットを含み、各調理室キャビネットは、格納位置と展開位置との間を長手方向軸に直交する方向に移動するように構成される前記又は後続の例のいずれかの旅客設備システムが提供される。
【０１０３】
「下方」、「上方」、「下部」、「上部」などのような空間に関係する用語は、例えば、図面に示されるように、要素及び／又は特徴の他の要素及び／又は特徴に対する関係を記載するために上記で使用され得る。これらの空間に関係する用語は、図示された方向性に加えて、使用中及び／又は動作中のシステムの異なる方向性を含むことを意図していると理解されるであろう。例えば、図面のシステムを反転させると、他の要素又は特徴の「下方」及び／又は「下」と記載された要素は、他の要素又は特徴の「上方」に位置するであろう。システムは、別なふうに（例えば、９０度回転して又は他の向きで）位置付けられることがあり、本書で使用される空間に関係する記載は、そのように解釈されるべきである。
【０１０４】
図示された又は上記に記載された構成部品、並びに図示も記載もされていない構成部品及びステップの異なる配置は可能である。同様に、いくつかの特徴及びサブコンビネーションは、有益であり、他の特徴及びサブコンビネーションを参照することなく使用し得る。本開示の実施形態は、限定目的ではなく、例示を目的として記載されており、代替実施形態が本特許の読者には明らかとなるであろう。したがって、本開示は、上記に記載された又は図示された実施形態に限定されず、多様な実施形態及び改変が、以下の請求項の範囲から逸脱しない範囲でなされ得る。
【図１】
0006775520.tif 000002
【図２】
0006775520.tif 000003
【図３】
0006775520.tif 000004
【図４】
0006775520.tif 000005
【図５】
0006775520.tif 000006
【図６Ａ】
0006775520.tif 000007
【図６Ｂ】
0006775520.tif 000008
【図６Ｃ】
0006775520.tif 000009
【図６Ｄ】
0006775520.tif 000010
【図６Ｅ】
0006775520.tif 000011
【図６Ｆ】
0006775520.tif 000012
【図６Ｇ】
0006775520.tif 000013
【図６Ｈ】
0006775520.tif 000014
【図６Ｉ】
0006775520.tif 000015
【図７】
0006775520.tif 000016
【図８】
0006775520.tif 000017
【図９Ａ】
0006775520.tif 000018
【図９Ｂ】
0006775520.tif 000019